(57)【要約】【課題】水棲生物等は停泊時に付着するため、停泊時（水流検出センサを使用しない時）に、当該センサの表面を覆うことによって、当該センサの表面の水棲生物及びゴミの付着を防ぐことが出来る防汚カバー及び水流検出装置を提供することを目的とする。【解決手段】防汚カバーが、水中の先端部によって水流を検出する水流検出センサの防汚カバーであって、水流検出センサの先端部を覆うカバー部と、一方の端部は回転自在になるように水流検出センサに取り付けられると共に他方の端部はカバー部を支持する支持具とを具備し、カバー部が水流によって押圧されると、カバー部は押圧される方向に回動することによって水流検出センサの先端部の表面を覆う位置（第１の位置）から第２の位置に移動し、カバー部が第２の位置に移動することによって水流検出センサの先端部の表面が露出し、水流が止まると、カバー部は、自重によって第２の位置から第１の位置に戻る。【選択図】図１
2010151450.tif 000002
【特許請求の範囲】
【請求項１】
水中の先端部によって水流を検出する水流検出センサの防汚カバーであって、
前記水流検出センサの先端部を覆うカバー部と、
一方の端部は回転自在になるように前記水流検出センサに取り付けられると共に他方の端部は前記カバー部を支持する支持具とを具備し、
前記カバー部が水流によって押圧されると、前記カバー部は前記支持具の軸を中心に押圧される方向に回動することによって前記水流検出センサの先端部の表面を覆う位置（第１の位置）から第２の位置に移動し、前記カバー部が前記第２の位置に移動することによって前記水流検出センサの先端部の表面が露出し、
水流が止まると、前記カバー部は、自重によって前記第２の位置から前記第１の位置に戻ることを特徴とする防汚カバー。
【請求項２】
前記支持具は、弾性体を具備し、
前記支持具は、前記カバー部の自重及び前記弾性体の弾性によって、前記カバー部を前記第１の位置に固定し、
前記カバー部が水流によって押圧されると、前記カバー部は前記支持具の軸を中心に押圧される方向に回動することによって前記第１の位置から前記第２の位置に移動し、前記カバー部が前記第２の位置に移動することによって水流検出センサの先端部の表面が露出し、
水流が止まると、前記カバー部は、自重及び前記支持具の前記弾性体の弾性によって前記第２の位置から前記第１の位置に戻ることを特徴とする請求項１に記載の防汚カバー。
【請求項３】
前記カバー部には、水流によって押圧される側にフィンが設けられていることを特徴とする請求項１〜３のいずれかに記載の防汚カバー。
【請求項４】
水中の先端部によって水流を検出する水流検出センサと、
請求項１〜３に記載のいずれかの防汚カバーとを具備し、
前記水流検出センサの先端部の前記カバー部に接する側の面が円弧の凸形状に成形され、前記カバー部の前記水流検出センサの先端部に接する側の面が、前記水流検出センサの先端部の円弧の凸形状に契合するように、円弧の凹形状に成形されていることを特徴とする水流検出装置。
【発明の詳細な説明】
【技術分野】
【０００１】
本発明は、水中に装備される流速センサ及び流量センサ等の水流を検出する水流検出センサの防汚カバー及び当該防汚カバーを具備する水流検出装置に関する。
【背景技術】
【０００２】
長期間、海水中において使用されるものとして、例えば漁業用定置網、養畜魚介類用いけす網等の水産用資材と、航路浮標・灯浮標・係留用ブイ等の船舶用資材及び汚濁防止膜等の土木用資材などがある。そして、これら資材は、長期間海水中に存在する為に、その表面に例えばアオサ、イソギンチヤク、ムラサキイガイ及びフジツボ等の水棲生物が付着してしまう。そして、これら資材に水棲生物が付着しまうと、資材本来の機能を十分に発揮することができないという問題があった。
【０００３】
そして、下記特許文献１には、このような問題を解決する発明として、水棲生物の付着を長期に亘って防止する効果を有する構造物が開示されている。この水棲生物の付着を防止する効果を有する構造物は、ビス（２−ピリジンチオール−１−オキシド）金属塩（防汚剤）および溶出量制御物質を含有する熱可塑性樹脂が被覆された樹脂被覆糸から構成される構造物であって、防汚剤の海水中への溶出量が２５℃において３０ｍｇ／ｃｍ立方以下かつ１５℃において３ｍｇ／ｃｍ立方以上に制御され、１８水柱ｃｍ下での通水量が１ｃｃ／ｃｍ平方・ｓｅｃ以上である。
【特許文献１】特開２００１−８９５７７号公報
【発明の開示】
【発明が解決しようとする課題】
【０００４】
ところで、上記従来技術では、ビス（２−ピリジンチオール−１−オキシド）金属塩（防汚剤）を含有する熱可塑性樹脂が被覆された樹脂被覆糸によって構造物（防汚構造物）を構成し、水中において使用されるものをこの防汚構造物によって構成することによって水棲生物の付着を防いでいる。しかしながら、水中において使用されるものには、水流を検出する流速センサ及び流量センサ等の水流検出センサが存在する。より具体的なものしとして、流速に基づいて船速を検出する電磁ログが存在する。これらセンサでは、その表面を通過する水流によって流速及び流量を検出している為、センサの表面のわずかな水流の乱れによって検出結果の精度に大きな悪影響が生じてしまう。その為、これら水流検出センサでは、使用時、つまり水流が発生している時に、その表面の周辺に防汚構造物が存在することは好ましくない。
【０００５】
本発明は、上述した事情を鑑みたものであり、水棲生物等は停泊時に付着するため、停泊時（水流検出センサを使用しない時）に、当該センサの表面を覆うことによって、当該センサの表面の水棲生物及びゴミの付着を防ぐことが出来る防汚カバー及び水流検出装置を提供することを目的とする。
【課題を解決するための手段】
【０００６】
上記目的を達成するために、本発明では、防汚カバーに係る第１の解決手段として、水中の先端部によって水流を検出する水流検出センサの防汚カバーであって、前記水流検出センサの先端部を覆うカバー部と、一方の端部は回転自在になるように前記水流検出センサに取り付けられると共に他方の端部は前記カバー部を支持する支持具とを具備し、前記カバー部が水流によって押圧されると、前記カバー部は前記支持具の軸を中心に押圧される方向に回動することによって前記水流検出センサの先端部の表面を覆う位置（第１の位置）から第２の位置に移動し、前記カバー部が前記第２の位置に移動することによって前記水流検出センサの先端部の表面が露出し、水流が止まると、前記カバー部は、自重によって前記第２の位置から前記第１の位置に戻るという手段を採用する。
【０００７】
本発明では、防汚カバーに係る第２の解決手段として、上記第１の解決手段において、前記支持具は、弾性体を具備し、前記支持具は、前記カバー部の自重及び前記弾性体の弾性によって、前記カバー部を前記第１の位置に固定し、前記カバー部が水流によって押圧されると、前記カバー部は前記支持具の軸を中心に押圧される方向に回動することによって前記第１の位置から前記第２の位置に移動し、前記カバー部が前記第２の位置に移動することによって水流検出センサの先端部の表面が露出し、水流が止まると、前記カバー部は、自重及び前記支持具の前記弾性体の弾性によって前記第２の位置から前記第１の位置に戻るという手段を採用する。
【０００８】
本発明では、防汚カバーに係る第３の解決手段として、上記第１または第２の解決手段において、前記カバー部には、水流によって押圧される側にフィンが設けられているという手段を採用する。
【０００９】
また、本発明では、水流検出装置に係る第１の解決手段として、水中の先端部によって水流を検出する水流検出センサと、上記第１〜第３の解決手段のいずれかを採用する防汚カバーとを具備し、前記水流検出センサの先端部の前記カバー部に接する側の面が円弧の凸形状に成形され、前記カバー部の前記水流検出センサの先端部に接する側の面が、前記水流検出センサの先端部の円弧の凸形状に契合するように、円弧の凹形状に成形されているという手段を採用する。
【発明の効果】
【００１０】
本発明によれば、防汚カバーが、カバー部と、支持具とを具備し、カバー部が水流によって押圧されると、カバー部は支持具の軸を中心に押圧される方向に回動することによって水流検出センサの先端部の表面を覆う位置（第１の位置）から第２の位置に移動し、カバー部が第２の位置に移動することによって水流検出センサの先端部の表面が露出し、水流が止まると、カバー部は、自重によって第２の位置から第１の位置に戻る。
【００１１】
このように、防汚カバーは、水流が発生している場合に、水流を検出する為に、水流検出センサの先端部の表面を露出させ、水流が停止している場合に、水流を検出する必要がない為に、水流検出センサの先端部の表面を覆う。これにより、水流検出センサの未使用時に、水流検出センサの先端部の表面を覆うことよって、当該水流検出センサの先端部の表面に、イソギンチヤク、ムラサキイガイ及びフジツボ等の水棲生物及びゴミが付着してしまうことを防ぐことが出来る。
【発明を実施するための最良の形態】
【００１２】
以下、図面を参照して、本発明の一実施形態について説明する。本実施形態は、水中に装備される流速センサ及び流量センサ等の水流を検出する水流検出センサの表面の水棲生物の付着を防止する防汚カバーに関する。
〔第１実施形態〕
まず、第１実施形態について説明する。図１は、第１実施形態に係る防汚カバーＡ１の外観構成を示す図である。図１の（ａ）は、防汚カバーＡ１の正面側の外観構成を示す図であり、図１の（ｂ）は、防汚カバーＡ１の左側面側の外観構成を示す斜視図である。
防汚カバーＡ１の外観構成について、図１を参照して、説明する。
【００１３】
防汚カバーＡ１は、船舶の船底から水中にその先端部を突出するように取り付けられる電磁ログＢに、イソギンチヤク、ムラサキイガイ及びフジツボ等の水棲生物及びゴミが付着してしまうことを防ぐものである。上記電磁ログＢは、上述したように船舶の船底から水中にその先端部を突出するように取り付けられ、取り付けられた船舶の速度を検出するセンサであり、電磁石によって水中に磁界を発生させ、船舶の移動によって当該磁界中を水が移動することによって水（導体）に発生する起電力を、船舶と水との相対速度に比例した大きさの速度信号として検出する。そして、電磁ログＢは、略円筒形状であり、その直径がφ３５ｍｍまたは７０ｍｍ程度である。
【００１４】
そして、防汚カバーＡ１は、図１に示すように、カバー部１及び支持具２から構成されている。
カバー部１は、船舶の船底から水中に突出する電磁ログＢの先端部の表面にイソギンチヤク、ムラサキイガイ及びフジツボ等の水棲生物及びゴミが付着することを防ぐ防汚部材である。このカバー部１は、合成樹脂から構成されており、電磁ログＢの先端部を覆う為に、電磁ログＢと同一の略円筒形状をしている。また、図１に示すように、電磁ログＢの先端部のカバー部１に接する側の面は、円弧の凸形状に成形されている。そして、カバー部１の電磁ログＢの先端部に接する側の面は、電磁ログＢの円弧の凹形状に契合する為に、円弧の凹形状に成形されている。
【００１５】
支持具は２は、図１に示すように、一対の支持具から構成されており、一方の端部が軸によって回転自在になるように電磁ログＢの先端部の左右両側にそれぞれ取り付けられている。そして、支持具２は、他方の端部が左右両側から挟み込むように軸によってカバー部１を回転自在に支持する。さらに、この支持具２は、バネを具備しており、カバー部１の自重及びバネの弾性によって、図１の（ａ）及び（ｂ）に示す電磁ログＢの先端部を覆う位置にカバー部１を固定している。
【００１６】
次に、防汚カバーＡ１の動作について、図２を参照して、説明する。図２は、第１実施形態に係る防汚カバーＡ１の動作を示す左側面側の模式図である。図２の（ａ）は、動作する前の防汚カバーＡ１を示す左側面側の模式図であり、図２の（ｂ）は、動作した防汚カバーＡ１を示す左側面側の模式図である。
【００１７】
防汚カバーＡ１では、船舶の停泊によって船底下の水中に水流が生じていない場合には、図２の（ａ）に示すように、カバー部１が、電磁ログＢの先端部を覆う位置に、自身の自重及び支持具２のバネの弾性によって固定されている。
そして、船舶が航行を開始した場合に、防汚カバーＡ１では、船舶が航行を開始することによって船底下の水中に、図２の（ｂ）の太矢印に示す水流が生じると、当該水流によってカバー部１は押圧され、カバー部１は前記支持具の軸を中心に押圧される方向に回動することによって図２の（ａ）に示す位置から図２の（ｂ）に示す位置に移動する。これによって、電磁ログＢの先端部の表面が露出する為、電磁ログＢは、水流の流速に基づいて船舶の速度の検出を開始する。
【００１８】
そして、船舶が航行を停止した場合に、防汚カバーＡ１では、船舶の停止によって船底下の水中に生じていた水流が停止すると、カバー部１は、自重及び前記支持具の前記弾性体の弾性によって、図２の（ｂ）に示す位置から、図２の（ａ）に示す位置に戻る。これにより、電磁ログＢの先端部の表面は、カバー部１によって覆われる。
なお、防汚カバーＡ１では、上述したように、カバー部１が、図２の（ｂ）に示す水流によって、図２の（ｂ）に示す位置に移動したが、逆向きの水流が発生した場合には、カバー部１が、当該水流の押圧によって、図２の（ｂ）に示す位置とは逆の位置に移動する。
【００１９】
以上のように、第１実施形態に係る防汚カバーＡ１は、電磁ログＢの先端部の表面を覆うカバー部１と、一方の端が軸によって回転自在になるように電磁ログＢに取り付けられると共に他方の端がカバー部１を挟み込むように支持する一対の支持具２とを具備する。そして、船舶が航行を開始した場合に、防汚カバーＡ１では、船底下の水中に生じる水流によってカバー部１は押圧され、当該押圧によってカバー部１は、図２の（ａ）に示す位置から図２の（ｂ）に示す位置に移動する。これによって、電磁ログＢの先端部の表面が露出する為、電磁ログＢは、水流の流速に基づいて船舶の速度の検出を開始する。
また、船舶が航行を停止した場合に、防汚カバーＡ１では、船底下の水中に生じていた水流が停止すると、カバー部１は、自重及び前記支持具の前記弾性体の弾性によって、図２の（ｂ）に示す位置から、図２の（ａ）に示す位置に戻る。これにより、電磁ログＢの先端部の表面は、カバー部１によって覆われる。
【００２０】
このように、防汚カバーＡ１は、水流が発生する、すなわち船舶が航行している場合に、船舶の速度を検出する為に、電磁ログＢの先端部の表面を露出させ、水流が停止する、すなわち船舶が停泊している場合に、船舶の速度を検出する必要がない為に、電磁ログＢの先端部の表面をカバー部１によって覆う。これにより、電磁ログＢの未使用時に、電磁ログＢの先端部の表面を覆うことよって、当該電磁ログＢの先端部の表面に、イソギンチヤク、ムラサキイガイ及びフジツボ等の水棲生物及びゴミが付着してしまうことを防ぐことが出来る。
【００２１】
また、カバー部１の電磁ログＢの先端部に接する側の面が、電磁ログＢの先端部の円弧の凸形状に契合するように、円弧の凹形状に成形されている。これにより、カバー部１は、水流の押圧によって、スムーズに図２の（ａ）に示す位置から図２の（ｂ）に示す位置へ移動する。また、同様に、カバー部１は、スムーズに図２の（ｂ）に示す位置から図２の（ａ）に示す位置に戻ることが出来る。
【００２２】
〔第２実施形態〕
次に、第２実施形態について説明する。図３は、第２実施形態に係る防汚カバーＡ２の外観構成を示す図である。図３の（ａ）は、防汚カバーＡ２の正面側の外観構成を示す図であり、図３の（ｂ）は、防汚カバーＡ２の左側面側の外観構成を示す斜視図である。
防汚カバーＡ２の外観構成について、図３を参照して、説明する。
防汚カバーＡ２は、図３に示すように、カバー部１及び支持具２から構成されている。
【００２３】
カバー部１は、第１実施形態と同様に水棲生物及びゴミが付着することを防ぐ防汚部材である。このカバー部１も、合成樹脂から構成されており、電磁ログＢの先端部を覆う為に、電磁ログＢと同一の略円筒形状をしている。また、図３に示すように、電磁ログＢの先端部のカバー部１に接する側の面は、円弧の凸形状に成形されている。そして、カバー部１の電磁ログＢの先端部に接する側の面は、第１実施形態と同様に、電磁ログＢの円弧の凹形状に契合する為に、円弧の凹形状に成形されている。
【００２４】
さらに、カバー部１は、その底面の縁辺部近傍に、１対のフィン１ａを備えている。このフィン１ａは、カバー部１が水流の押圧をより受け易くする為に設けられたものであり、その為、船舶が前進している際に水流を受けるカバー部１の前方（船首方向）と、船舶が後進している際に水流を受けるカバー部１の後方（船尾方向）に設けられている。
【００２５】
図４は、第２実施形態に係る防汚カバーＡ２の動作を示す左側面側の模式図である。図４の（ａ）は、動作する前の防汚カバーＡ２を示す左側面側の模式図であり、図４の（ｂ）は、動作した防汚カバーＡ２を示す左側面側の模式図である。
そして、第１実施形態と同様に、船舶が航行を開始した場合に、防汚カバーＡ２では、船底下の水中に生じる水流によってカバー部１は押圧され、当該押圧によってカバー部１は、図４の（ａ）に示す位置から図４の（ｂ）に示す位置に移動する。そして、その際に、防汚カバーＡでは、カバー部１にフィン１ａが設けられている為、船舶の航行開始時のわずかな水流であっても、カバー部１は、図４の（ｂ）に示す位置に移動することが出来る。
【００２６】
また、第１実施形態と同様に、船舶が航行を停止した場合に、防汚カバーＡ２では、船底下の水中に生じていた水流が停止すると、カバー部１は、自重及び前記支持具の前記弾性体の弾性によって、図４の（ｂ）に示す位置から、図４の（ａ）に示す位置に戻る。
なお、防汚カバーＡ２では、上述したように、カバー部１が、図４の（ｂ）に示す水流によって、図４の（ｂ）に示す位置に移動したが、逆向きの水流が発生した場合には、カバー部１が、当該水流の押圧によって、図４の（ｂ）に示す位置とは逆の位置に移動する。
【００２７】
以上のように、第２実施形態に係る防汚カバーＡ２は、第１実施形態と同様に、電磁ログＢの先端部の表面を覆うカバー部１と、一方の端が軸によって回転自在になるように電磁ログＢに取り付けられると共に他方の端がカバー部１を挟み込むように支持する一対の支持具２とを具備する。
これにより、防汚カバーＡ２は、水流が発生する、すなわち船舶が航行している場合に、船舶の速度を検出する為に、電磁ログＢの先端部の表面を露出させ、水流が停止する、すなわち船舶が停泊している場合に、船舶の速度を検出する必要がない為に、電磁ログＢの先端部の表面をカバー部１によって覆う。このように、電磁ログＢの未使用時に、電磁ログＢの先端部の表面を覆うことよって、当該電磁ログＢの先端部の表面に、イソギンチヤク、ムラサキイガイ及びフジツボ等の水棲生物及びゴミが付着してしまうことを防ぐことが出来る。
【００２８】
さらに、防汚カバーＡ２では、カバー部１が、一対のフィン１ａを具備する。これにより、船舶の航行開始時のわずかな水流であっても、カバー部１は、図４の（ａ）の位置から図４の（ｂ）に示す位置に移動することが出来る。
【００２９】
以上、本発明の実施形態について説明したが、本発明は上記実施形態に限定されることなく、例えば以下のような変形が考えられる。
（１）上記実施形態の防汚カバーＡ１及び防汚カバーＡ２では、支持具２がバネを有し、このバネの弾性によって、カバー部１を電磁ログＢの先端部の表面を覆う位置に固定しているが、本発明はこれに限定されない。
例えば、バネの代わりに、弾性を有するゴムを採用してもよい。
【００３０】
（２）上記実施形態の防汚カバーＡ２では、カバー部１の底面の縁辺部近傍にフィン１ａを設けたが、本発明はこれに限定されない。
例えば、カバー部１の底面の縁辺部から離れた、底面の中央部付近にフィン１ａを設けるようにしてもよい。
【図面の簡単な説明】
【００３１】
【図１】本発明の第１実施形態に係る防汚カバーＡ１の外観構成を示す図である。
【図２】本発明の第１実施形態に係る防汚カバーＡ１の動作を示す左側面側の模式図である。
【図３】本発明の第２実施形態に係る防汚カバーＡ２の外観構成を示す図である。
【図４】本発明の第２実施形態に係る防汚カバーＡ２の動作を示す左側面側の模式図である。
【符号の説明】
【００３２】
Ａ１，Ａ２…防汚カバー、Ｂ…電磁ログ、１…カバー部、２…支持具
【図１】
2010151450.tif 000003
【図２】
2010151450.tif 000004
【図３】
2010151450.tif 000005
【図４】
2010151450.tif 000006